(57)【要約】      （修正有）【課題】介護者が車椅子に乗せた被介護者を楽に立ち上がらせる為の介護用補助器具を取り付け介護者の介護により車椅子から楽に立たせ、移動出来る車椅子を提供する。【解決手段】介護者が車椅子に乗せた被介護者を楽に立ち上がらせる為の介護用補助器具を装着した車椅子に被介護者を乗せた状態で、足踏みペダル１を介護者が片足で踏むと、梃子の原理を利用して負荷重量約２０〜３０ｋｇの力で尻上がり座板２が約３０度前方に傾きながら約２０センチ上がり、座板３の状態になり，被介護者は腰が浮いて前傾姿勢になって、立ちやすくなっているので介護者が足踏みペダル１を踏んだままペダル４の状態で空いている両手を脇の下に手を差し入れて容易に立たせることができるようにした。又、お風呂やトイレで車椅子から移動させる時も同様の操作をし、バーや手摺を捕まらせ、空いた両手で立たせて楽に移動ができる。【選択図】図１
0003162534.tif 000002
【実用新案登録請求の範囲】
【請求項１】
車椅子に装着した被介護者を楽に立ち上がらせる為の介護用補助器具は尻上がり座板部と押し上げ金具部、ペダル回転軸受け台と足踏みペダルの各部品の構成になっており着脱できる梃子の原理を用いた回転構造の装置である。
【請求項２】
車椅子の被介護者を楽に立ち上がらせる為の介護用補助器具の取り付けは既存の車椅子を改造することなく，押し上げ金具の付いた座板部を既存の車椅子の座席に乗せ，押し上げ金具を座席と背もたれシートの間より降ろし，前方下よりペダル回転軸受け台を車椅子の左右の車軸受けパイプに乗せて回転軸より出ている押し上げ金具をシートの間より降りている押し上げ金具とをボルト，ナットで連結させ、最後に足踏みペダルを左右のどちらかのペダル差し込み口にさしこみ、抜け止めボルトをしめる構造である。
【請求項３】
本考案の介護者が車椅子に乗せた被介護者を楽に立ち上がらせる為の介護用補助器具を装着した車椅子は介護者が足踏みペダルを片足で踏むことにより、後方から尻上がり座板を押し上げる金具がせり上がりつつ、尻上がり座板が３０度前方に傾きながら２０センチ上がり，腰が浮いて前傾姿勢になる梃子の原理を用いた回転構造の装置である。
【請求項４】
被介護者を楽に立ち上がらせる為の介護用補助器具を装着した車椅子は足踏みペダルを被介護者の足元の中央ではなく、車椅子の後輪とキャスターの間の外側の左右両方に差し込み口を設け、前輪キャスターの外側の位置より足踏みペダルを差し込み，必要に応じて左右どちらにも取り付け出来る梃子の原理を用いた回転構造の装置である。
【考案の詳細な説明】
【技術分野】
【０００１】本考案は、既存の介護用車椅子の被介護者を楽に立ち上がらせる為の介護用補助器具を取り付け、梃子の応用により介護の負担を軽減するものである。
【背景技術】
【０００２】車椅子は多くの種類があるが特に介護者が被介護者を介護するための車椅子を対象にしたものである。
【先行技術文献】
【特許文献１】特開２００３−５２７５４
【０００３】従来の発明は既存の車椅子の着脱可能な身体起こし装置を考えたものであるが、介護者が被介護者の足と足の間にある起立ペダルを踏む時に間違えると、どちらかの足を踏みつける恐れがある。力強く踏むので足を怪我させることが考えられる。また、起立ペダルの座板の前部に起立ペダル連結の支持アームが出ているので手指や脚のももの接触により怪我の対象になるので危険である。
【特許文献２】特開２００４−２４３０７５
【０００４】従来の発明は自分だけの力で容易に立ち上がることが出来る自力を助長する椅子を提案したものである。この自力助長椅子は自力がある人が出来る事であって、体の弱い人には無理である。又、この発明器具は既存の介護するための車椅子には取り付け不向きであり、梃子の原理にかなっていない。
【考案の概要】
【考案が解決しようとする課題】
【０００５】本考案は被介護者を介護する人、される人は共に大変であり体力、気力を必要とします。そして車椅子に乗せた被介護者を持ち上げる時の体重の重さで介護者が腰を痛める等の話を聞き、もっと楽に仕事が出来ないかと考え手軽に車椅子から被介護者を降ろしたり、立たせたりすることが出来るように解決しようとするものである。
【課題を解決するための手段】
【０００６】本考案は、従来の先行技術文献の技術とは違う角度から安全性を考え、車椅子に取り付けた足踏みペダルは車椅子の両横の外側より操作できるようにし、尻上がり座板を押し上げる部分も後方から押し上げるようにした介護するための補助器具を考案した。
【考案の効果】
【０００７】上述の様に、本考案は車椅子の被介護者を楽に立ち上がらせる為の介護用補助器具の足踏みペダルを介護者が片足で踏むと尻上がり座板が３０度前方に傾きながら約２０センチ腰が浮いて前傾姿勢になり、立ちやすくなっている被介護者を介護者の空いた両手を脇の下に差し入れて抱き起こすように立たせ楽に介護出来るようになった。又お風呂やトイレで車椅子から移動する時も同様の操作をし、バーや手摺を捕まらせ、空いた両手で立たせて楽に移動させる事ができた。
【図面の簡単な説明】
【０００８】
【図１】本考案の被介護者を楽に立たせる為の介護用補助器具を装着した車椅子の側面図である。
【図２】本考案の被介護者を楽に立たせる為の介護用補助器具を装着した車椅子の正面図である。
【考案を実施するための形態】
【０００９】本考案の車椅子に乗せた被介護者を楽に立たせる為の介護用補助器具を装着した車椅子の足踏みペダルは左右の差し込み口があり、どちらか一方に差し込み、介護者が片足で踏むと尻上がり座板が前方に３０度傾いて２０センチ上がり車椅子に乗せた被介護者の腰が浮いて前傾姿勢になり、立ちやすくなっているのでペダルを踏んだまま、空いている両手を脇の下に差し入れて抱き起こすように立たせ移動させる。
【実施例】
【００１０】以下、添付図面に従って一実施例を説明する。既存の介護用車椅子に乗せた被介護者を楽に立たせる為の介護用補助器具を取り付け、被介護者を乗せた状態で介護者が足踏みペダル１を片足で踏むと尻上がり座板２が前方に３０度傾いて２０センチ上がり、尻あがり座板は３状態になり、被介護者の腰が浮いて前傾姿勢になり、立ちやすくなっているので足踏みペダル１を踏んだまま４の状態で、介護者の空いている両手を脇の下に差し入れて抱き起こす様に立たせ移動させる。
【符号の説明】
【００１１】  １  折りたたみ式足踏みペダル
２  尻上がり座板
３  前に３０度傾いた尻上がり座板
４  折りたたみ式足踏みペダルを踏んだ後の位置
５  尻上がり座板押し上げ金具
６  尻上がり座板押し上げ金具
７  尻上がり座板押し上げ金具
８  ペダル回転軸
９  腰掛けシート
１０  ペダル差し込み口左右
１１  ペダル回転軸受け台
１２  肘掛
１３  ハンドリム
１４  後輪
１５  キャスター
１６  背もたれシート
【図１】
0003162534.tif 000003
【図２】
0003162534.tif 000004
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
介護用車椅子の被介護者を楽に立ち上がらせる車椅子に設置される介護用補助器具であって、車椅子の座席に置かれる尻上がり座板部と、足踏みペダルと、足踏みペダルを取り付けられるペダル回転軸と、ペダル回転軸と尻上がり座板部に取り付けられた押し上げ金具が足踏みペダルを踏んだ力を伝えて、尻上がり座板部を前方に傾く様に後方から押し上げる押し上げ金具部とを有する構造を特長とする介護用補助器具。
【請求項２】
ペダル回転軸が足踏みペダルを取り付ける為の差し込み口を有することを特長とする請求項１に記載の介護用補助器具。
【請求項３】
足踏みペダルを片足で床面迄踏むことにより力が伝わり車椅子に乗せた尻上がり座板を３０度前方に傾く様に後方から押し上げる構造を有する請求項１に記載の介護用補助器具。
【請求項４】
ペダル回転軸の外の左右両方に差し込み口を有し、請求項１に記載の介護用補助器具を車椅子に装着する際に、足踏みペダルを車椅子の前輪キャスターの外側の位置より差し込む、構造を有する請求項１に記載の介護用補助器具。